(57)【要約】電池レスデジタル情報表示デバイス（１００）は、電源が供給されなくても表示された情報が継続保持される電子ペーパー（ｅ−ｐａｐｅｒ）ディスプレイモジュールを含む表示部（１３０）と、外部のデバイス管理装置（２００）からデータを受信し、デバイス管理装置（２００）から電源を供給されるインターフェイス部（１１０）と、デバイス管理装置（２００）との接続の際に、インターフェイス部（１１０）を介してデバイス管理装置（２００）から供給される電源を受けて作動し、電子ペーパーディスプレイモジュールに電源を供給し、インターフェイス部（１１０）を介してデバイス管理装置から（２００）受信したデータを基に電子ペーパーディスプレイモジュールに表示されている情報をアップデートする制御部（１５０）と、を備える。【選択図】図２
2016537756.tif 000002
【特許請求の範囲】
【請求項１】
電源が供給されなくても表示された情報が継続保持される電子ペーパー（ｅ−ｐａｐｅｒ）ディスプレイモジュールを含む表示部と、
外部のデバイス管理装置からデータを受信し、該デバイス管理装置から電源を供給されるインターフェイス部と、
前記デバイス管理装置との接続の際に、前記インターフェイス部を介して前記デバイス管理装置から供給される電源を前記電子ペーパーディスプレイモジュールに供給し、前記インターフェイス部を介して前記デバイス管理装置から受信したデータを基に前記電子ペーパーディスプレイモジュールに表示されている情報をアップデートする制御部と、
を備える電池レスデジタル情報表示デバイス。
【請求項２】
前記電子ペーパーディスプレイモジュールを介して情報を表示する領域は、固定情報を表示する第１の領域と可変情報を表示する第２の領域を含む、請求項１に記載の電池レスデジタル情報表示デバイス。
【請求項３】
前記制御部は、前記デバイス管理装置から受信したデータを基に、前記第２の領域に表示される情報をアップデートする、請求項２に記載の電池レスデジタル情報表示デバイス。
【請求項４】
前記電子ペーパーディスプレイモジュールを介して情報を表示する領域は、固定情報を表示する複数の第１の領域と可変情報を表示する複数の第２の領域を含む、請求項１に記載の電池レスデジタル情報表示デバイス。
【請求項５】
前記電子ペーパーディスプレイモジュールを介して表示される情報は、在室情報、予約現況情報、病院回診情報、病床情報、広告情報、カレンダー情報、商品価格情報、個人識別情報、客室情報、文化財情報、会議情報、ｅ−ｗａｌｌ情報、ミーティング・ボード情報、展示会バッジ情報、及び患者認識票情報のうち少なくとも一つを含む、請求項１から４のいずれか一項に記載の電池レスデジタル情報表示デバイス。
【請求項６】
前記インターフェイス部が接続される標準コネクタの一方である第１コネクタをさらに備え、
前記第１コネクタは、前記デバイス管理装置に備えられた標準コネクタの他方である第２コネクタと結合し、電気的に前記デバイス管理装置と接続する請求項１に記載の電池レスデジタル情報表示デバイス。
【請求項７】
前記インターフェイス部は、前記デバイス管理装置との有線接続を介して前記デバイス管理装置からデータを受信し、電源を供給される請求項１に記載の電池レスデジタル情報表示デバイス。
【請求項８】
前記インターフェイス部は、前記デバイス管理装置との無線接続を介して前記デバイス管理装置からデータを受信し、電源を供給される請求項１に記載の電池レスデジタル情報表示デバイス。
【請求項９】
前記電池レスデジタル情報表示デバイスは、電子名札を含む請求項１に記載の電池レスデジタル情報表示デバイス。
【請求項１０】
インターフェイス部と、
入力部と、
ディスプレイ部と、
前記インターフェイス部を介して外部の電池レスデジタル情報表示デバイスとの接続の際に、前記入力部を介してのユーザの操作による結果物情報を前記ディスプレイ部を介して表示し、前記結果物情報を前記インターフェイス部を介して前記電池レスデジタル情報表示デバイスに送信し、前記インターフェイス部を介して前記電池レスデジタル情報表示デバイスに電源を供給する制御部と、
を備えるデバイス管理装置。
【請求項１１】
前記結果物情報は、前記ディスプレイ部を介して表示されたテンプレートを基に生成される、請求項１０に記載のデバイス管理装置。
【請求項１２】
前記制御部は、前記ディスプレイ部を介して前記結果物情報が表示された状態で、前記入力部を介して伝送操作が入力されると、前記結果物情報を前記インターフェイス部を介して前記電池レスデジタル情報表示デバイスに送信する、請求項１０に記載のデバイス管理装置。
【請求項１３】
前記結果物情報は、在室情報、予約現況情報、病院回診情報、病床情報、広告情報、カレンダー情報、商品価格情報、個人識別情報、客室情報、文化財情報、会議情報、ｅ−ｗａｌｌ情報、ミーティング・ボード情報、展示会バッジ情報、及び患者認識票情報のうち少なくとも一つを含む、請求項１０に記載のデバイス管理装置。
【請求項１４】
前記インターフェイス部が接続される標準コネクタの一方である第１コネクタをさらに備え、
前記第１コネクタは、前記電池レスデジタル情報表示デバイスに備えられた標準コネクタの他方である第２コネクタと結合し、電気的に前記電池レスデジタル情報表示デバイスと接続する請求項１０に記載のデバイス管理装置。
【請求項１５】
前記電池レスデジタル情報表示デバイスとの有線接続を介して前記結果物情報を前記インターフェイス部を介して前記電池レスデジタル情報表示デバイスに送信し、電源を供給する請求項１０に記載のデバイス管理装置。
【請求項１６】
前記電池レスデジタル情報表示デバイスとの無線接続を介して前記結果物情報を前記インターフェイス部を介して前記電池レスデジタル情報表示デバイスに送信し、電源を供給する請求項１０に記載のデバイス管理装置。
【請求項１７】
電源が供給されなくても表示された情報が継続保持される電子ペーパー（ｅ−ｐａｐｅｒ）ディスプレイモジュールを含む表示部と、
外部のデバイス管理装置からデータを受信し、該デバイス管理装置から電源を供給されるインターフェイス部と、
を備える電池レスデジタル情報表示デバイス。
【請求項１８】
前記デバイス管理装置との接続の際に、前記インターフェイス部を介して前記デバイス管理装置からのデータを基にした前記電子ペーパーディスプレイモジュールに表示されている情報のアップデートが行われる請求項１７に記載の電池レスデジタル情報表示デバイス。
【請求項１９】
前記電池レスデジタル情報表示デバイスは、電子名札を含む請求項１７に記載の電池レスデジタル情報表示デバイス。
【発明の詳細な説明】
【技術分野】
【０００１】
本発明は、電池レス（Ｂａｔｔｅｒｙｌｅｓｓ）デジタル情報表示デバイス及び管理装置に関する。
【０００２】
より詳しくは、電子ペーパー（ｅ−ｐａｐｅｒ）ディスプレイモジュールを介して情報を表示する電池レスデジタル情報表示デバイス及び管理装置に関する。
【背景技術】
【０００３】
現在の紙やプラスチックからなる情報表示タグは、印刷された情報を変更したり、新しい情報を追加したりすることが容易でないことから、一般にそのような場合には、既存の情報表示タグを廃棄する過程や、新しい情報表示タグを製作する過程を必要とする。このため、資源、時間、人力などを浪費するという問題がある。
【０００４】
特許文献１は、電子ペーパーを用いた映像ディスプレイ装置及び映像ディスプレイ方法を開示している。特許文献１に記載の映像ディスプレイ装置及び映像ディスプレイ方法では、電源の消耗が少ない補助プロセッサーを別途用いて、補助プロセッサーはプリセットされた時間テーブルに従って時間値を用い、主プロセッサーはイメージ処理に関するすべてのタスクを担当する。
【先行技術文献】
【特許文献】
【０００５】
【特許文献１】大韓民国公開特許公報第２０１２−０１３６０２１号
【発明の概要】
【発明が解決しようとする課題】
【０００６】
本発明が解決しようとする一つの技術的課題は、バッテリーを備えてなくても電子ペーパーディスプレイモジュールを介して情報を表示し、表示された情報のアップデートの際にのみ外部から供給される電源を用いて電子ペーパーディスプレイモジュールに表示する情報をアップデートする電池レスデジタル情報表示デバイス及びその管理装置を提供することにある。
【課題を解決するための手段】
【０００７】
前記技術的課題を解決するために、本発明の実施例に係る電池レスデジタル情報表示デバイスは、電源が供給されなくても表示された情報を継続保持する電子ペーパーディスプレイモジュールを含む表示部、外部のデバイス管理装置からデータを受信し、外部のデバイス管理装置から電源の供給を受けるインターフェイス部、及び外部のデバイス管理装置との接続の際に、インターフェイス部を介して外部のデバイス管理装置から供給される電源を電子ペーパーディスプレイモジュールに供給し、インターフェイス部を介して外部のデバイス管理装置から受信したデータを基に、電子ペーパーディスプレイモジュールに表示される情報をアップデートする制御部を備える。
【０００８】
本発明の実施例において、電子ペーパーディスプレイモジュールを介して表示される領域は、固定情報が表示される第１の領域と可変情報が表示される第２の領域を含む。
【０００９】
本発明の実施例において、制御部は、外部のデバイス管理装置から受信したデータを基に、第２の領域に表示される情報をアップデートする。
【００１０】
本発明の実施例において、電子ペーパーディスプレイモジュールを介して表示される領域は、固定情報が表示される複数の第１の領域と可変情報が表示される複数の第２の領域を含む。
【００１１】
本発明の実施例において、電子ペーパーディスプレイモジュールを介して表示される情報は、在室情報、予約現況情報、病院回診情報、病床情報、広告情報、カレンダー情報、商品価格情報、個人識別情報、客室情報、文化財情報、会議情報、ｅ−ｗａｌｌ情報、ミーティング・ボード情報、展示会バッジ情報、及び患者認識票情報のうち少なくとも一つを含む。
【００１２】
本発明の実施例において、本発明に係る電池レスデジタル情報表示デバイスは、インターフェイス部が接続される標準コネクタの一方である第１コネクタを備え、第１コネクタは、外部のデバイス管理装置に備えられた標準コネクタの他方である第２コネクタと接続し、電気的に外部のデバイス管理装置と接続する。
【００１３】
本発明の実施例において、インターフェイス部は、外部のデバイス管理装置との有線接続を介して外部のデバイス管理装置からデータを受信し、電源を供給される。
【００１４】
本発明の実施例において、インターフェイス部は、外部のデバイス管理装置との無線接続を介して外部のデバイス管理装置からデータを受信し、電源を供給される。
【００１５】
本発明の実施例において、電池レスデジタル情報表示デバイスは、電子名札を含む。
【００１６】
本発明の実施例に係るデバイス管理装置は、インターフェイス部、入力部、ディスプレイ部、及びインターフェイス部を介して電池レスデジタル情報表示デバイスとの接続の際に、入力部を介してのユーザの操作による結果物情報をディスプレイ部を介して表示し、結果物情報をインターフェイス部を介して電池レスデジタル情報表示デバイスに送信し、インターフェイス部を介して電池レスデジタル情報表示デバイスに電源を供給する制御部を備える。
【００１７】
本発明の実施例において、結果物情報は、ディスプレイ部を介して表示されたテンプレート（ｔｅｍｐｌａｔｅ）を基に生成される。
【００１８】
本発明の実施例において、制御部は、表示部を介して結果物情報が表示された状態で、入力部を介して伝送操作が入力されると、結果物情報を無線通信部を介して電池レスデジタル情報表示デバイスに送信する。
【００１９】
本発明の実施例において、結果物情報は、在室情報、予約現況情報、病院回診情報、病床情報、広告情報、カレンダー情報、商品価格情報、個人識別情報、客室情報、文化財情報、会議情報、ｅ−ｗａｌｌ情報、ミーティング・ボード情報、展示会バッジ情報、及び患者認識票情報のうち少なくとも一つを含む。
【００２０】
本発明の実施例において、本発明に係るデバイス管理装置は、インターフェイス部が接続される標準コネクタの一方である第１コネクタを備え、第１コネクタは、電池レスデジタル情報表示デバイスに備えられた標準コネクタの他方である第２コネクタと接続し、電気的に電池レスデジタル情報表示デバイスと接続する。
【００２１】
本発明の実施例において、本発明に係るデバイス管理装置は、電池レスデジタル情報表示デバイスとの有線接続を介して、結果物情報をインターフェイス部を介して電池レスデジタル情報表示デバイスに送信し、電源を供給する。
【００２２】
本発明の実施例において、本発明に係るデバイス管理装置は、電池レスデジタル情報表示デバイスとの無線接続を介して、結果物情報をインターフェイス部を介して電池レスデジタル情報表示デバイスに送信し、電源を供給する。
【００２３】
本発明の実施例に係る電池レスデジタル情報表示デバイスは、電源が供給されなくても表示された情報を継続保持する電子ペーパーディスプレイモジュールを含む表示部と、外部のデバイス管理装置からデータを受信し、外部のデバイス管理装置から電源の供給を受けるインターフェイス部を備える。
【００２４】
本発明の実施例において、電池レスデジタル情報表示デバイスは、外部のデバイス管理装置との接続の際に、外部のデバイス管理装置からのデータを基にした電子ペーパーディスプレイモジュールに表示される情報のアップデートが行われる。
【００２５】
本発明の実施例において、電池レスデジタル情報表示デバイスは、電子名札を含む。
【発明の効果】
【００２６】
本発明の実施例に係る電池レスデジタル情報表示デバイス及びその管理装置によれば、バッテリーを備えてなくても電子ペーパーディスプレイモジュールを介して情報を表示し、表示された情報のアップデートの際にのみ外部から供給される電源を用いて電子ペーパーディスプレイモジュールに表示する情報をアップデートすることによって、既存の表示されていた情報が変更されたり、新しい情報が追加されたりした場合であっても、表示される情報を簡便かつ手軽にアップデートすることができる。さらに、既存の電池レスデジタル情報表示デバイスを繰り返し使用することができるので、資源の浪費を防止でき、維持管理コストも低減することができる。
【図面の簡単な説明】
【００２７】
【図１】図１は、本発明の実施例に係る電池レスデジタル情報表示デバイスとデバイス管理装置を説明するブロック図である。
【図２】図２は、図１に示す電池レスデジタル情報表示デバイスをデバイス管理装置に接続する動作を説明する図である。
【図３】図３は、図１に示す電池レスデジタル情報表示デバイスの構成を説明するブロック図である。
【図４】図４は、図１に示す電池レスデジタル情報表示デバイスの一例を説明するブロック図である。
【図５】図５は、本発明の実施例に係るディスプレイ領域の一例を説明する図である。
【図６】図６は、本発明の実施例に係るディスプレイ領域の他の例を説明する図である。
【図７】図７は、本発明の実施例に係る電池レスデジタル情報表示デバイスの他の例を説明する図である。
【図８】図８は、本発明の実施例に係る電池レスデジタル情報表示デバイスを介して在室情報が表示される例を説明する図である。
【図９】図９は、本発明の実施例に係る電池レスデジタル情報表示デバイスを介して予約現況情報が表示される例を説明する図である。
【図１０】図１０は、本発明の実施例に係る電池レスデジタル情報表示デバイスを介して病院回診情報が表示される例を説明する図である。
【図１１】図１１は、本発明の実施例に係る電池レスデジタル情報表示デバイスを介して病床情報が表示される例を説明する図である。
【図１２】図１２は、本発明の実施例に係る電池レスデジタル情報表示デバイスを介して広告情報が表示される例を説明する図である。
【図１３】図１３は、本発明の実施例に係る電池レスデジタル情報表示デバイスを介してカレンダー情報が表示される例を説明する図である。
【図１４】図１４は、本発明の実施例に係る電池レスデジタル情報表示デバイスを介して商品価格情報が表示される例を説明する図である。
【図１５】図１５は、本発明の実施例に係る電池レスデジタル情報表示デバイスを介して商品価格情報が表示される他の例を説明する図である。
【図１６】図１６は、本発明の実施例に係る電池レスデジタル情報表示デバイスを介して個人識別情報が表示される例を説明する図である。
【図１７】図１７は、本発明の実施例に係る電池レスデジタル情報表示デバイスを介して客室情報が表示される例を説明する図である。
【図１８】図１８は、本発明の実施例に係る電池レスデジタル情報表示デバイスを介して文化財情報が表示される例を説明する図である。
【図１９】図１９は、本発明の実施例に係る電池レスデジタル情報表示デバイスを介して会議情報が表示される例を説明する図である。
【図２０】図２０は、本発明の実施例に係る電池レスデジタル情報表示デバイスを介してｅ−ｗａｌｌ情報が表示される例を説明する図である。
【図２１】図２１は、本発明の実施例に係る電池レスデジタル情報表示デバイスを介してミーティング・ボード情報が表示される例を説明する図である。
【図２２】図２２は、本発明の実施例に係る電池レスデジタル情報表示デバイスを介して展示会バッジ情報が表示される例を説明する図である。
【図２３】図２３は、本発明の実施例に係る電池レスデジタル情報表示デバイスを介して患者認識票情報が表示される例を説明する図である。
【図２４】図２４は、図１に示すデバイス管理装置の構成を説明するブロック図である。
【発明を実施するための形態】
【００２８】
以下では、添付の図面を参照して、本発明の実施例に係る電池レスデジタル情報表示デバイス及び管理装置について詳しく説明する。
【００２９】
図１及び図２を参照して、本発明の実施例に係る電池レスデジタル情報表示デバイスとデバイス管理装置について説明する。
【００３０】
図１は、本発明の実施例に係る電池レスデジタル情報表示デバイス（１００）とデバイス管理装置（２００）を説明するブロック図である。
【００３１】
図１を参照すると、電池レスデジタル情報表示デバイス（１００）は、電子ペーパーディスプレイモジュールを介して各種の情報を表示する。電子ペーパーディスプレイモジュールは、紙のような感覚で使えるようにしたディスプレイ装置で、ｅ−ｐａｐｅｒとも呼ばれる。電子ペーパーディスプレイモジュールは、消費電力が少ないため、携帯用電子ブックの用途で広く用いられている。さらに、電子ペーパーディスプレイモジュールは、電源が供給されなくても表示された情報を継続保持することを特徴としている。
【００３２】
電池レスデジタル情報表示デバイス（１００）は、デバイス管理装置（２００）と接続され、電子ペーパーディスプレイモジュールを介して表示される情報をアップデートすることができる。即ち、デバイス管理装置（２００）は、ユーザの操作によって生成された結果物情報を電池レスデジタル情報表示デバイス（１００）に提供し、これを受信した電池レスデジタル情報表示デバイス（１００）は、結果物情報を電子ペーパーディスプレイモジュールに表示して情報をアップデートする。
【００３３】
図２は、図１に示す電池レスデジタル情報表示デバイス（１００）をデバイス管理装置（２００）に接続する動作を説明する図である。
【００３４】
図２を参照すると、クレードル（３００）は、有線ケーブルを介してデバイス管理装置（２００）と接続される。電池レスデジタル情報表示デバイス（１００）は、ピンコネクタ（ｐｉｎ  ｃｏｎｎｅｃｔｏｒ）方式、あるいはＮＦＣ（Ｎｅａｒ  Ｆｉｅｌｄ  Ｃｏｍｍｕｎｉｃａｔｉｏｎ）方式でクレードル（３００）と接続される。
【００３５】
クレードル（３００）は、電池レスデジタル情報表示デバイス（１００）に電源を供給し、デバイス管理装置（２００）から受けた情報を電池レスデジタル情報表示デバイス（１００）は、に提供する。
【００３６】
図３及び図４を参照し、本発明の実施例に係る電池レスデジタル情報表示デバイス（１００）について、より詳細に説明する。
【００３７】
図３は、図１に示す電池レスデジタル情報表示デバイス（１００）の構成を説明するブロック図であり、図４は、図１に示す電池レスデジタル情報表示デバイス（１００）の一例を説明するブロック図である。
【００３８】
図３及び図４を参照すると、電池レスデジタル情報表示デバイス（１００）は、インターフェイス部（１１０）、表示部（１３０）、及び制御部（１５０）を備える。
【００３９】
インターフェイス部（１１０）は、ピンコネクタモジュール（不図示）またはＮＦＣモジュール（不図示）を備え、クレードル（３００）を介してデバイス管理装置（２００）からデータを受信する。さらに、インターフェイス部（１１０）は、クレードル（３００）を介してデバイス管理装置（２００）から電源を供給される。
【００４０】
表示部（１３０）は、電子ペーパーディスプレイモジュール（不図示）を含み、各種の情報を電子ペーパーディスプレイモジュールを介して表示する。電子ペーパーディスプレイモジュールは、電源が供給されなくても表示された情報を継続保持する。即ち、電池レスデジタル情報表示デバイス（１００）がクレードル（３００）から分離され、デバイス管理装置（２００）との接続が切れて電源を供給されなくても、電子ペーパーディスプレイモジュールに表示される情報は継続維持される。
【００４１】
制御部（１５０）は、電池レスデジタル情報表示デバイス（１００）の各構成要素の全般的な動作を制御するプロセッサーで構成される。特に、本発明に係る制御部（１５０）は、クレードル（３００）を介してデバイス管理装置（２００）との接続の際に、インターフェイス部（１１０）を介してデバイス管理装置（２００）から供給される電源を受けて動作し、電子ペーパーディスプレイモジュールに電源を供給する。
【００４２】
制御部（１５０）は、インターフェイス部（１１０）を介してデバイス管理装置（２００）から受信したデータを基に電子ペーパーディスプレイモジュール表示されている情報をアップデートする。
【００４３】
即ち、電池レスデジタル情報表示デバイス（１００）は、表示されている情報を変更する場合のみ、クレードル（３００）を介してデバイス管理装置（２００）に接続し、電源を供給されることで表示されている情報をアップデートすることができる。
【００４４】
図３の例では、電池レスデジタル情報表示デバイス（１００）が制御部（１５０）を含む構成を示しているが、本発明の他の実施例に係る電池レスデジタル情報表示デバイス（１００）は、インターフェイス部（１１０）と表示部（１３０）のみを備えることができる。この場合、制御部（１５０）はデバイス管理装置（２００）に含まれ、前述の機能を遂行することができる。
【００４５】
このとき、電子ペーパーディスプレイモジュールを介して表示されるディスプレイ領域は、複数の領域に分けることができる。さらに、複数の領域のうち一部の領域には固定情報が表示され、残りの領域には可変情報が表示される。このように、表示される情報が固定情報と可変情報とからなる場合、電池レスデジタル情報表示デバイス（１００）は、可変情報が表示される領域のみをアップデートすることができる。即ち、制御部（１５０）は、インターフェイス部（１１０）を介してデバイス管理装置（２００）から受信したデータを基に、可変情報が表示される領域の情報をアップデートすることができる。
【００４６】
例えば、個人識別情報の一つである社員情報が電子ペーパーディスプレイモジュールを介して表示される場合（電子名札）、固定情報が表示される領域には「会社の名称」などの情報が表示され、可変情報が表示される領域には「氏名」、「所属」、「連絡先」などの情報が表示される。
【００４７】
そして、電子ペーパーディスプレイモジュールを介して表示される領域が、固定情報が表示される領域と可変情報が表示される領域とに分けられている場合、それぞれの領域は複数のサブ領域から成り得る。
【００４８】
ここで、電子ペーパーディスプレイモジュールを介して表示される情報の例としては、在室情報、予約現況情報、病院回診情報、病床情報、広告情報、カレンダー情報、商品価格情報、個人識別情報、客室情報、文化財情報、会議情報、ｅ−ｗａｌｌ情報、ミーティング・ボード情報、展示会バッジ情報、患者認識票情報などがある。
【００４９】
在室情報とは、病院の病室に在室中の患者に関する情報などのように、特定の場所にいる人に関する情報をいう。予約現況情報とは、食堂、会議室などを予約した人に関する情報をいう。病院回診情報とは、病院で医者が曜日別に回診する日程に関する情報をいう。病床情報とは、病院に入院している患者に関する情報をいう。広告情報とは、割引、マーケティング、広報などの目的で作成される広告に関する情報をいう。カレンダー情報とは、カレンダーに関する情報をいう。商品価格情報とは、衣類、食料品などの商品の価格に関する情報をいう。個人識別情報とは、社員、展示会の出席者、患者などのように人を識別することができる情報をいう。客室情報とは、ホテルの客室番号プレートに関する情報をいう。文化財情報とは、文化財に関する情報をいう。会議情報とは、会議への出席者に関する情報または会議の式順に関する情報をいう。ｅ−ｗａｌｌ情報とは、壁面などに表示するイベント情報などをいう。ミーティング・ボード情報とは、ミーティング部屋の番号、ミーティングのトピックなどに関する情報をいう。展示会バッジ情報とは、展示会の名称、場所、及び出席者の氏名などに関する情報をいう。患者認識票情報とは、患者の氏名、年齢、性別などに関する情報をいう。
【００５０】
図５及び図６を参照して、本発明の実施例に係るディスプレイ領域について説明する。
【００５１】
図５は、本発明の実施例に係るディスプレイ領域の一例を説明する図である。
【００５２】
図５を参照すると、電池レスデジタル情報表示デバイス（１００）の表示部（１３０）を介して表示されるディスプレイ領域は、固定情報が表示される固定領域（ＳＲ）と、可変情報が表示される可変領域（ＶＲ）とから成る。
【００５３】
図６は、本発明の実施例に係るディスプレイ領域の他の例を説明する図である。
【００５４】
図６を参照すると、電池レスデジタル情報表示デバイス（１００）の表示部（１３０）を介して表示されるディスプレイ領域は、固定情報が表示される第１の固定領域（ＳＲ＿１）及び第２の固定領域（ＳＲ＿２）と、可変情報が表示される第１の可変領域（ＶＲ＿１）及び第２の可変領域（ＶＲ＿２）とから成る。
【００５５】
図７を参照して、本発明の実施例に係る電池レスデジタル情報表示デバイス（１００）の他の例について説明する。
【００５６】
図７は、本発明の実施例に係る電池レスデジタル情報表示デバイス（１００）の他の例を説明する図である。
【００５７】
上述した電池レスデジタル情報表示デバイス（１００）は、１個の表示部（１３０）を備える例を示しているが、これに限らず、実施例に応じて電池レスデジタル情報表示デバイス（１００）は複数の表示部（１３０）を備え得る。
【００５８】
図７では、電池レスデジタル情報表示デバイス（１００）は、６個の表示部（１３０ａ乃至１３０ｆ）を備えている。電池レスデジタル情報表示デバイス（１００）に備えられる表示部（１３０）の数は、必要に応じて増減し得る。
【００５９】
図８乃至図１８を参照して、本発明の実施例に係る電池レスデジタル情報表示デバイス（１００）の一例について説明する。
【００６０】
図８は、本発明の実施例に係る電池レスデジタル情報表示デバイス（１００）を介して在室情報が表示される例を説明する図である。
【００６１】
図８では、電池レスデジタル情報表示デバイス（１００）は、７個の表示部（１３０ａ乃至１３０ｇ）を備えている。電池レスデジタル情報表示デバイス（１００）の外部の一定の領域には、病室番号を識別することができる情報が存在する。そして、電池レスデジタル情報表示デバイス（１００）の７個の表示部（１３０ａ乃至１３０ｇ）のうち６個の表示部（１３０ａ乃至１３０ｆ）には、該当病室に入院している患者を識別することができる情報（例えば、氏名など）を表示し、残りの表示部（１３０ｇ）には、該当病室を担当する看護師を識別することができる情報（例えば、氏名など）を表示する。
【００６２】
図９は、本発明の実施例に係る電池レスデジタル情報表示デバイス（１００）を介して予約現況情報が表示される例を説明する図である。
【００６３】
図９を参照すると、予約現況ボードに、６個の電池レスデジタル情報表示デバイス（１００−１乃至１００−６）が結合される。６個の電池レスデジタル情報表示デバイス（１００−１乃至１００−６）のそれぞれは、会議室予約情報（例えば、会議室番号、日付、人数、時間など）を表示する。
【００６４】
図１０は、本発明の実施例に係る電池レスデジタル情報表示デバイス（１００）を介して病院回診情報が表示される例を説明する図である。
【００６５】
図１０を参照すると、電池レスデジタル情報表示デバイス（１００）は、病院で医者が曜日別に回診する日程に関する情報（例えば、医者の写真、医者の回診日程など）を表示する。
【００６６】
図１１は、本発明の実施例に係る電池レスデジタル情報表示デバイス（１００）を介して病床情報が表示される例を説明する図である。
【００６７】
図１１を参照すると、電池レスデジタル情報表示デバイス（１００）は、病院に入院している患者に関する情報（例えば、患者名、診療科、担当医、病名など）を表示する。
【００６８】
図１２は、本発明の実施例に係る電池レスデジタル情報表示デバイス（１００）を介して広告情報が表示される例を説明する図である。
【００６９】
図１２を参照すると、電池レスデジタル情報表示デバイス（１００）は、割引、マーケティング、広報などの目的で作成される広告に関する情報（例えば、割引期間、割引率など）を表示する。
【００７０】
図１３は、本発明の実施例に係る電池レスデジタル情報表示デバイス（１００）を介してカレンダー情報が表示される例を説明する図である。
【００７１】
図１３を参照すると、電池レスデジタル情報表示デバイス（１００）は、現在のまたは欲しいカレンダー情報を表示する。
【００７２】
図１４は、本発明の実施例に係る電池レスデジタル情報表示デバイス（１００）を介して商品価格情報が表示される例を説明する図である。図１５は、本発明の実施例に係る電池レスデジタル情報表示デバイス（１００）を介して商品価格情報が表示される他の例を説明する図である。
【００７３】
図１４を参照すると、電池レスデジタル情報表示デバイス（１００）は、衣類、食料品などの商品の価格に関する情報（例えば、商品名、価格など）を表示する。電池レスデジタル情報表示デバイス（１００）を介して表示される商品価格情報は図１５に示すように、多様な形態で表示することができる。
【００７４】
図１６は、本発明の実施例に係る電池レスデジタル情報表示デバイス（１００）を介して個人識別情報が表示される例を説明する図である。
【００７５】
図１６を参照すると、電池レスデジタル情報表示デバイス（１００）は、社員、展示会の出席者、患者などのように人を識別することができる個人識別情報（例えば、会社のロゴ、役職、氏名など）を表示する。
【００７６】
図１７は、本発明の実施例に係る電池レスデジタル情報表示デバイス（１００）を介して客室情報が表示される例を説明する図である。
【００７７】
図１７を参照すると、電池レスデジタル情報表示デバイス（１００）の一部には客室番号を識別することができる情報を表示する領域があり、他の一部には表示部（１３０）がある。そして、電池レスデジタル情報表示デバイス（１００）の表示部（１３０）は、客室情報（例えば、宿泊者のための割引情報など）を表示する。
【００７８】
図１８は、本発明の実施例に係る電池レスデジタル情報表示デバイス（１００）を介して文化財情報が表示される例を説明する図である。
【００７９】
図１８を参照すると、電池レスデジタル情報表示デバイス（１００）は、遺跡、史跡などのような文化財に関する情報を表示する。
【００８０】
図１９は、本発明の実施例に係る電池レスデジタル情報表示デバイス（１００）を介して会議情報が表示される例を説明する図である。
【００８１】
図１９を参照すると、電池レスデジタル情報表示デバイス（１００）は２個の表示部（１３０ａ及び１３０ｂ）を備え、２個の表示部（１３０ａ及び１３０ｂ）に会議情報を表示する。例えば、一方の表示部（１３０ａ）は会議の出席者に関する情報（例えば、氏名、所属など）を表示し、他方の表示部（１３０ｂ）は会議の式順に関する情報を表示することができる。
【００８２】
図２０は、本発明の実施例に係る電池レスデジタル情報表示デバイス（１００）を介してｅ−ｗａｌｌ情報が表示される例を説明する図である。
【００８３】
図２０を参照すると、電池レスジタル情報表示デバイス（１００）は複数の表示部（１３０）を備え、物理的に分けられた複数の表示部（１３０）を論理的に一つの表示単位とし、ｅ−ｗａｌｌ情報（例えば、イベント情報など）を表示する。例えば、マルチビジョン方式で複数の表示部（１３０）を論理的に結合することができる。
【００８４】
図２１は、本発明の実施例に係る電池レスデジタル情報表示デバイス（１００）を介してミーティング・ボード情報が表示される例を説明する図である。
【００８５】
図２１を参照すると、電池レスデジタル情報表示デバイス（１００）は、ミーティング・ボード情報（例えば、ミーティングのトピックなど）を表示する。
【００８６】
図２２は、本発明の実施例に係る電池レスデジタル情報表示デバイス（１００）を介して展示会バッジ情報が表示される例を説明する図である。
【００８７】
図２２を参照すると、電池レスデジタル情報表示デバイス（１００）は、展示会バッジ情報（例えば、展示会の名称、展示会の場所、出席者の氏名など）を表示する。
【００８８】
図２３は、本発明の実施例に係る電池レスデジタル情報表示デバイス（１００）を介して患者認識票情報が表示される例を説明する図である。
【００８９】
図２３を参照すると、電池レスデジタル情報表示デバイス（１００）は、病院の患者認識票情報（例えば、氏名、年齢、性別、患者を識別可能なＱＲコード（登録商標）など）を表示する。
【００９０】
図２４を参照して、本発明の実施例に係るデバイス管理装置（２００）について詳しく説明する。
【００９１】
図２４は、図１に示すデバイス管理装置（２００）の構成を説明するブロック図である。
【００９２】
図２４を参照すると、デバイス管理装置（２００）は、ディスプレイ部（２１０）、入力部（２３０）、格納部（２５０）、インターフェイス部（２７０）、及び制御部（２９０）を備える。
【００９３】
ディスプレイ部（２１０）は、デバイス管理装置（２００）のメニュー、入力データ、機能設定情報、及びその他の各種の情報をユーザに視覚的に提供する。ディスプレイ部（２１０）は、データ編集画面、テンプレート選択画面などを出力する機能を行う。
【００９４】
ディスプレイ部（２１０）は、液晶ディスプレイ（Ｌｉｑｕｉｄ  Ｃｒｙｓｔａｌ  Ｄｉｓｐｌａｙ：ＬＣＤ）、有機発光ダイオード（Ｏｒｇａｎｉｃ  Ｌｉｇｈｔ−Ｅｍｉｔｔｉｎｇ  Ｄｉｏｄｅ：ＯＬＥＤ）ディスプレイ、能動マトリクス型有機発光ダイオード（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ：ＡＭＯＬＥＤ）ディスプレイ、フレキシブルディスプレイ（Ｆｌｅｘｉｂｌｅ  Ｄｉｓｐｌａｙ）、３次元ディスプレイ（３Ｄ  Ｄｉｓｐｌａｙ）、電子ペーパーなどで構成され得る。
【００９５】
入力部（２３０）は、デバイス管理装置（２００）の動作を制御するためのユーザからの操作入力を受け、入力信号を生成して制御部（２９０）に伝送する。入力部（２３０）は、キーボード、マウスなどの外部入力装置（不図示）に接続され、外部入力装置から入力信号を提供されても良い。
【００９６】
格納部（２５０）は、デバイス管理装置（２００）の動作に必要なプログラム及びデータを格納する役割を果たし、プログラム領域とデータ領域に分けられる。プログラム領域は、デバイス管理装置（２００）の全般的な動作を制御するプログラム及びデバイス管理装置（２００）をブーティングするＯＳ（Ｏｐｅｒａｔｉｎｇ  Ｓｙｓｔｅｍ）、データ編集などに必要な応用プログラムなどを格納することができる。データ領域は、デバイス管理装置（２００）の使用によって発生するデータが格納される領域で、イメージデータやテキストデータなどを格納することができる。
【００９７】
インターフェイス部（２７０）は、クレードル（３００）を介して、電池レスデジタル情報表示デバイス（１００）にデータを提供する。さらに、インターフェイス部（２７０）は、クレードル（３００）を介して、電池レスデジタル情報表示デバイス（１００）に電源を供給する。
【００９８】
制御部（２９０）は、デバイス管理装置（２００）の各構成要素の全般的な動作を制御する。特に、本発明の実施例に係る制御部（２９０）は、入力部（２３０）を介してのユーザの操作による結果物情報をインターフェイス部（２７０）を介して電池レスデジタル情報表示デバイス（１００）に提供する。
【００９９】
即ち、制御部（２９０）は、インターフェイス部（２７０）を介して電池レスデジタル情報表示デバイス（１００）と接続された際に、入力部（２３０）を介してのユーザの操作により結果物情報をディスプレイ部（２１０）を介して表示する。ここで、結果物情報には、在室情報、予約現況情報、病院回診情報、病床情報、広告情報、カレンダー情報、商品価格情報、個人識別情報、客室情報、文化財情報、会議情報、ｅ−ｗａｌｌ情報、ミーティング・ボード情報、展示会バッジ情報、患者認識票情報などがある。
【０１００】
そして、制御部（２９０）は、結果物情報を、インターフェイス部（２７０）を介して電池レスデジタル情報表示デバイス（１００）に送信する。このとき、制御部（２９０）は、ディスプレイ部（２１０）を介して結果物情報が表示された状態で、入力部（２３０）を介して伝送操作が入力されると、結果物情報をインターフェイス部（２７０）を介して電池レスデジタル情報表示デバイス（１００）に送信することができる。さらに、制御部（２９０）は、結果物情報をインターフェイス部（２７０）を介して電池レスデジタル情報表示デバイス（１００）に送信する。このとき、制御部（２９０）は、ディスプレイ部（２１０）を介して結果物情報が表示された状態で、入力部（２３０）を介して伝送操作が入力されると、結果物情報をインターフェイス部（２７０）を介して電池レスデジタル情報表示デバイス（１００）に送信することができる。さらに、制御部（２９０）は、インターフェイス部（２７０）を介して電池レスデジタル情報表示デバイス（１００）に電源を供給する。電池レスデジタル情報表示デバイス（１００）は、デバイス管理装置（２００）から供給される電源を電子ペーパーディスプレイモジュールに供給し、デバイス管理装置（２００）から受信した結果物情報を基に、電子ペーパーディスプレイモジュールに表示されている情報をアップデートする。
【０１０１】
このとき、結果物情報は、ディスプレイ部（２１０）を介して表示されたテンプレートを基に生成することができる。即ち、ユーザは、画面に表示されたテンプレートを用いて所望のイメージ情報を生成することができる。
【０１０２】
本発明はまた、コンピュータで読み取り可能な記録媒体に、コンピュータで読み取り可能なコードとして具現することができる。コンピュータで読み取り可能な記録媒体は、コンピュータで読み取り可能なデータが格納されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ格納装置などがあり、かつキャリアウェーブ（インターネットを介した伝送）の形態で具現されるものも含む。また、コンピュータで読み取り可能な記録媒体は、有線・無線通信網で接続されたコンピュータ装置に分散されて分散方式でコンピュータで読み取り可能なコードとして格納及び実行されても良い。
【０１０３】
本発明の実施例において、電池レスデジタル情報表示デバイス（１００）は、インターフェイス部（１１０）が接続される標準コネクタの一方である第１コネクタ（不図示）を備え、第１コネクタはクレードル（３００）に備えられた標準コネクタの他方である第２コネクタ（不図示）と結合し、電気的にデバイス管理装置（２００）と接続するように構成されている。
【０１０４】
本発明の実施例において、電池レスデジタル情報表示デバイス（１００）のインターフェイス部（１１０）は、デバイス管理装置（２００）との有線接続を介してデバイス管理装置（２００）からデータを受信し、電源を供給されるように構成されている。
【０１０５】
本発明の実施例において、電池レスデジタル情報表示デバイス（１００）ののインターフェイス部（１１０）は、デバイス管理装置（２００）との無線接続を介してデバイス管理装置（２００）からデータを受信し、電源を供給されるように構成されている。
【０１０６】
本発明の実施例において、デバイス管理装置（２００）は、インターフェイス部（２７０）が接続される標準コネクタの一方である第１コネクタ（不図示）を備え、第１コネクタは、電池レスデジタル情報表示デバイス（１００）に備えられた標準コネクタの他方である第２コネクタ（不図示）と結合し、電気的に電池レスデジタル情報表示デバイス（１００）と接続するように構成されている。
【０１０７】
本発明の実施例において、インターフェイス部（２７０）は、電池レスデジタル情報表示デバイス（１００）と有線接続を介して結果物情報を電池レスデジタル情報表示デバイス（１００）に送信し、電源を供給するように構成されている。
【０１０８】
本発明の実施例において、インターフェイス部（２７０）は、電池レスデジタル情報表示デバイス（１００）と無線接続を介して結果物情報を電池レスデジタル情報表示デバイス（１００）に送信し、電源を供給するように構成されている。
【０１０９】
以上において本発明の実施例について詳しく説明したが、本発明は上述した特徴の実施例に限定されず、次の請求の範囲において請求する本発明の要旨を逸脱することなく本発明の属する技術分野における通常の知識を有する者であれば何人も種々の変形実施が可能であることは勿論であり、そのような変形は請求の範囲の記載の範囲内にある。
【符号の説明】
【０１１０】
１００：電池レスデジタル情報表示デバイス
１１０：インターフェイス部
１３０：表示部
１５０：制御部
２００：デバイス管理装置
２１０：ディスプレイ部
２３０：入力部
２５０：格納部
２７０：インターフェイス部
２９０：制御部
３００：クレードル
【図１】
2016537756.tif 000003
【図２】
2016537756.tif 000004
【図３】
2016537756.tif 000005
【図４】
2016537756.tif 000006
【図５】
2016537756.tif 000007
【図６】
2016537756.tif 000008
【図７】
2016537756.tif 000009
【図１５】
2016537756.tif 000010
【図２４】
2016537756.tif 000011
【図８】
2016537756.tif 000012
【図９】
2016537756.tif 000013
【図１０】
2016537756.tif 000014
【図１１】
2016537756.tif 000015
【図１２】
2016537756.tif 000016
【図１３】
2016537756.tif 000017
【図１４】
2016537756.tif 000018
【図１６】
2016537756.tif 000019
【図１７】
2016537756.tif 000020
【図１８】
2016537756.tif 000021
【図１９】
2016537756.tif 000022
【図２０】
2016537756.tif 000023
【図２１】
2016537756.tif 000024
【図２２】
2016537756.tif 000025
【図２３】
2016537756.tif 000026
【国際調査報告】
2016537756.tif 000027
2016537756.tif 000028
2016537756.tif 000029
2016537756.tif 000030